(57)【要約】【課題】  織物および衣類を処理するのに適する固体柔軟剤組成物の提供。【解決手段】  この課題は、ａ）柔軟剤の性質を有するで表されるカチオン化合物；ｂ）有機／無機系担体系；ｃ）可溶化剤系；およびｄ）場合によっては脂肪系よりなる、織物および衣類を処理するのに適する固体柔軟剤組成物に関する。かゝる柔軟剤組成物の製造方法および用途も開示する。【選択図】    なし【特許請求の範囲】
【請求項１】
ａ）式
【化１】
2005048353.tif 000004
［式中、Ａは式  −（ＣＨ2 ）n −Ｑ−Ｔ1 または
【化２】
2005048353.tif 000005
で表される基であり；
Ｑは−Ｏ−Ｃ（Ｏ）−、−Ｃ（Ｏ）−Ｏ−、−Ｏ−Ｃ（Ｏ）−Ｏ−、−ＮＲ5 −Ｃ（  Ｏ）−、−Ｃ（Ｏ）−ＮＲ5 −から選択され；
Ｒ1 は（ＣＨ2 ）ｎ−Ｑ−Ｔ2 またはＴ3 またはＲ3 であり；
Ｒ2 は（ＣＨ2 ）ｍ−Ｑ−Ｔ4 またはＴ5 またはＲ3 であり；
Ｒ3 はＨ、Ｃ1 〜Ｃ6 −アルキル、Ｃ2 〜Ｃ6 −アルケニルまたはＣ1 〜Ｃ6 −ヒド  ロキシアルキルであり；
Ｒ4 はＴ1 、Ｔ2 、Ｔ3 、Ｔ4 またはＴ5 であり；
Ｒ5 はＨ、Ｃ1 〜Ｃ6 −アルキル、Ｃ2 〜Ｃ6 −アルケニルまたはＣ1 〜Ｃ6 −ヒド  ロキシアルキルであり；
Ｔ1 、Ｔ2 、Ｔ3 、Ｔ4 、Ｔ5 は互いに無関係にＣ8 〜Ｃ22−アルキルまたはＣ8 〜  Ｃ22−アルケニルであり；
ｎおよびｍは１〜６の整数であり；そして
Ｘ- はソフトナー許容性アニオン、例えば塩化物、臭化物、沃化物、フッ化物、硫酸  塩、メト硫酸塩、硫酸水素塩、炭酸塩、炭酸水素塩、リン酸塩、モノ−およびジ−リン  酸水素塩、ピロリン酸塩、メタリン酸塩、硝酸塩、ホスホン酸塩、メチルホスホン酸塩  、メタンジスルホン酸塩、メチルスルホン酸塩、エタンスルホン酸塩等がある。］
で表されるカチオン化合物；
ｂ）１種類以上の有機系固体物質および少なくとも１種類の無機系固体よりなる担体系
ｃ）１種類以上の溶剤および少なくとも１種類の非イオン性界面活性剤よりなる可溶化剤系、
ｄ）場合によっては、脂肪アルコール、脂肪酸、脂肪エステルまたはそれらの混合物より  なる脂肪系
を含む固体柔軟剤組成物。
【請求項２】
請求項１の（ａ）に規定する２種類以上の異なる種類のカチオン性化合物を併用する、請求項１に記載の固体柔軟剤組成物。
【請求項３】
式１において
Ｑが−Ｏ−Ｃ（Ｏ）−であり；
Ｒ1 が（ＣＨ2 ）ｎ−Ｑ−Ｔ2 またはＴ3 またはＲ3 であり；
Ｒ2 が（ＣＨ2 ）ｍ−Ｑ−Ｔ4 またはＴ5 またはＲ3 であり；
Ｒ3 がＣ1 〜Ｃ6 −アルキル、Ｃ2 〜Ｃ6 −アルケニルまたはＣ1 〜Ｃ6 −ヒドロキシ  アルキルであり；
Ｔ1 、Ｔ2 、Ｔ3 、Ｔ4 、Ｔ5 が互いに無関係にＣ8 〜Ｃ22−アルキルまたはＣ8 〜Ｃ  22−アルケニルであり；
ｎおよびｍは１または２である
請求項１に記載の固体柔軟剤組成物。
【請求項４】
式IIにおいて
Ｒ4 がＴ1 であり; 
Ｔ1 がＣ12〜Ｃ18−アルキルであり；
Ｒ3 がメチルである
請求項１に記載の固体柔軟剤組成物。
【請求項５】
カチオン性化合物を組成物全体の１〜４０重量％、好ましくは２〜２０重量％含有する請求項１〜３のいずれか一つに記載の固体柔軟剤組成物。
【請求項６】
担体系の有機系部分が高度に水溶性の有機系担体、更に好ましくはサッカロース、および水分散性有機系担体、更に好ましくはコーン澱粉で構成されており、それれら相互の割合が１０：９０〜９０：１０である請求項１〜５のいずれか一つに記載の固体柔軟剤組成物。
【請求項７】
担体系の無機系部分が二酸化珪素よりなる、請求項１〜６のいずれか一つに記載の固体柔軟剤組成物。
【請求項８】
担体系中の有機系と無機系固体物質との割合が、それら相互の割合で９９：１〜２０：８０の割合である請求項１〜７のいずれか一つに記載の固体柔軟剤組成物。
【請求項９】
担体系が組成物全体の５０〜９９重量％、好ましくは７０〜９５重量％である、請求項１〜８のいずれか一つに記載の固体柔軟剤組成物。
【請求項１０】
可溶化剤系中に存在する溶媒が好ましくはアルコール、またはエチレングリコール、プロピレングリコール、ポリエチレングリコールおよびポリプロピレングリコールの低級アルキルエーテルである、請求項１〜９のいずれか一つに記載の固体柔軟剤組成物。
【請求項１１】
非イオンが６〜１０モルのエチレンオキサイドでエトキシル化されたＣ12〜Ｃ18−ラウリルアルコールである、請求項１〜１０のいずれか一つに記載の固体柔軟剤組成物。
【請求項１２】
可溶化剤系中に存在する溶剤が組成物全体の１〜１５重量％である、請求項１〜１１のいずれか一つに記載の固体柔軟剤組成物。
【請求項１３】
可溶化剤系中に存在する非イオン性界面活性剤が組成物全体の１〜２０重量％である、請求項１〜１２のいずれか一つに記載の固体柔軟剤組成物。
【請求項１４】
セト(Ceto)−ステアリルアルコール３０：７０または５０：５０が組成物全体の０．５〜８重量％の濃度で存在する、請求項１〜１３のいずれか一つに記載の固体柔軟剤組成物。
【請求項１５】
追加的に更に添加物、助剤および／または補助剤を含有する、請求項１〜１４のいずれか一つに記載の固体柔軟剤組成物。
【請求項１６】
添加物がカチオン性およびアニオン性界面活性剤の関与によって形成される電子的に中性の錯塩である、請求項１〜１５のいずれか一つに記載の固体柔軟剤組成物。
【請求項１７】
場合によっては粉末、顆粒、タブレット、またはポリビニルアルコールで作製されている様な水溶性袋に充填された状態で提供され得る、請求項１〜１６のいずれか一つに記載の固体柔軟剤組成物。
【請求項１８】
請求項１〜１７のいずれか一つに記載の固体柔軟剤組成物を製造する方法において、液体成分および溶融成分を、最終生成物としての流動性粉末を場合によっては乾燥段階なしに得るために担体系と混合することを特徴とする、上記方法。
【請求項１９】
請求項１〜１７のいずれか一つに記載の固体柔軟剤組成物を使用する方法において、該組成物を濯ぎサイクルでディスペンサーまたは他の手段によって自動的方法でまたは手動的方法で適用することを特徴とする、上記方法。
【発明の詳細な説明】
【技術分野】
【０００１】
本発明は家庭、施設および／または工業用途で繊維製品を処理するのに適する固体柔軟剤組成物に関する。
【背景技術】
【０００２】
自動的または手動的洗浄工程で洗浄した繊維製品、特にセルロース繊維で造られたものは乾燥後に非常に不愉快な感触をもたらすことは良く知られている。不所望の強張った感触は洗濯後にコンディショニング製品の入った濯ぎ用浴中で衣類を処理することによって抑えることができる。
【０００３】
これらのコンディショニング組成物は一般に、ディスペンサーを通して自動的方法でまたは直接的に手動的方法で濯ぎ浴に加えられるカチオン性化合物の液体分散物である。しかしながら液体柔軟剤の工業的製造には多量の水および多大な費用の掛かる包装が必要とされる。
【０００４】
粉末、顆粒およびタブレットの柔軟剤組成物は、非常に容易に計量供給されることの他に、高い濃度および少ない容積でそれを発送することを可能とした時に、最終生成物の包装および運搬の費用を著しく軽減する。かゝる軽減、および組成物中で使用される水の低減が固体柔軟剤の主要な長所をもたらす：即ち、液体柔軟剤中の百万リットルの水の消費におよび毎年数トンのプラスチック容器の廃棄に起因する環境へのマイナスの影響を低減する。
【０００５】
捕捉的な利益としてこの様な組成物は、水性ベース製品中に存在する時に不安定である幾種類かの有効物質および添加物の商業化を実現可能にする。更にEster Quats の様な幾種類かのカチオン性分子にとって固体組成物は貯蔵安定性を向上させることができる。固体組成物は液体組成物中で非相容性である製品を使用することを可能ともする。
【０００６】
上述の沢山の長所にもかかわらず、同じ種類および量の有効含有成分を有する液体柔軟剤に匹敵する性能を有する固体柔軟剤の組成物の開発が未だ挑戦目標である。木綿タオルへの決定的柔軟化効果が固体組成物の製造に使用されるキャリヤー系に甚だしく依存していることを裏付ける本発明を念入りに作り上げるために感覚パネル試験を実施した。これらの結果をベースに、織物への固体沈着物および／または担体からのカチオン性有効放出物の問題のために、決定的な柔軟化へのマイナスの影響を最小限にするために、有機および無機物質が相乗的に組み合わされている担体系を本発明において明示する。担体系中の異なった有機系および無機系固体材料の間での正確な組合せが、吸着性と溶解挙動とを釣り合わせることを可能とする。更にこの正確な釣り合いは実質的に、流動性、貯蔵安定性、有効な含有成分の水放出プロフィールに結びついた必要な性能特性を達成することおよび織物の標的のセルロース性基体と使用段階の間のカチオン性柔軟剤成分のための担体との間の吸着競争を最小限にすることである。
【０００７】
市場で容易に入手できる現在の市販液体柔軟剤の殆どと同様に、本発明に開示した固体の状態調整剤は、主な有効物質として、ジアルキル性カチオン化合物、例えばジアルキルジメチルアンモニウム塩および／またはトリエタノールアミン、ジエタノールアミンまたはグリセリンのジエステル−クワット(quats）を有する。
【０００８】
国際特許出願公開第０，２４４，３１０号明細書には、カチオン性化合物、分散剤および崩壊剤（disintegrating agents ）および有機系だけの担体で構成される顆粒状柔軟剤を製造および使用する方法を開示している。可溶化剤、および粉末状洗濯洗剤用柔軟剤濃厚物の固体相としての無機系二酸化珪素を用いることは米国特許第４，５８９，９８９号明細書に開示されている。米国特許第５，５０５，８６６号明細書には、生分解性カチオン性エステルおよび酸性ｐＨ調節剤で造られた、水を添加した時に化学的に安定な希釈液または濃厚な液状柔軟剤組成物を生じ得る固体粒子状柔軟剤を開示している。
【発明の開示】
【発明が解決しようとする課題】
【０００９】
本発明は織物および衣類を処理するのに適する固体柔軟剤組成物を提供する。一般に、ここに開示する柔軟剤組成物は、
ａ）式
【００１０】
【化１】
2005048353.tif 000002
［式中、Ａは式  −（ＣＨ2 ）n −Ｑ−Ｔ1 または
【００１１】
【化２】
2005048353.tif 000003
で表される基であり；
Ｑは−Ｏ−Ｃ（Ｏ）−、−Ｃ（Ｏ）−Ｏ−、−Ｏ−Ｃ（Ｏ）−Ｏ−、−ＮＲ5 −Ｃ（  Ｏ）−、−Ｃ（Ｏ）−ＮＲ5 −から選択され；
Ｒ1 は（ＣＨ2 ）ｎ−Ｑ−Ｔ2 またはＴ3 またはＲ3 であり；
Ｒ2 は（ＣＨ2 ）ｍ−Ｑ−Ｔ4 またはＴ5 またはＲ3 であり；
Ｒ3 はＨ、Ｃ1 〜Ｃ6 −アルキル、Ｃ2 〜Ｃ6 −アルケニルまたはＣ1 〜Ｃ6 −ヒド  ロキシアルキルであり；
Ｒ4 はＴ1 、Ｔ2 、Ｔ3 、Ｔ4 またはＴ5 であり；
Ｒ5 はＨ、Ｃ1 〜Ｃ6 −アルキル、Ｃ2 〜Ｃ6 −アルケニルまたはＣ1 〜Ｃ6 −ヒド  ロキシアルキルであり；
Ｔ1 、Ｔ2 、Ｔ3 、Ｔ4 、Ｔ5 は互いに無関係にＣ8 〜Ｃ22−アルキルまたはＣ8 〜  Ｃ22−アルケニルであり；
ｎおよびｍは１〜６の整数であり；そして
Ｘ- はアニオン、例えば塩化物、臭化物、沃化物、フッ化物、硫酸塩、メト硫酸塩、  硫酸水素塩、炭酸塩、炭酸水素塩、リン酸塩、モノ−およびジ−リン酸水素塩、ピロリ  ン酸塩、メタリン酸塩、硝酸塩、ホスホン酸塩、メチルホスホン酸塩、メタンジスルホ  ン酸塩、メチルスルホン酸塩、エタンスルホン酸塩等がある。］
で表されるカチオン化合物を含有する。
【００１２】
式Ｉの有利なカチオンは、
Ｑが−Ｏ−Ｃ（Ｏ）−であり；
Ｒ1 が（ＣＨ2 ）ｎ−Ｑ−Ｔ2 またはＴ3 またはＲ3 であり；
Ｒ2 が（ＣＨ2 ）ｍ−Ｑ−Ｔ4 またはＴ5 またはＲ3 であり；
Ｒ3 がＣ1 〜Ｃ6 −アルキル、好ましくはメチル、Ｃ2 〜Ｃ6 −アルケニルまたはＣ1 〜  Ｃ6 −ヒドロキシアルキル、好ましくはヒドロキシエチルであり；
Ｔ1 、Ｔ2 、Ｔ3 、Ｔ4 、Ｔ5 が互いに無関係にＣ8 〜Ｃ22−アルキルまたはＣ8 〜Ｃ22  −アルケニルであり；
ｎおよびｍは１または２である
ものである。
【００１３】
式IIの有利なカチオンは、
Ｒ4 がＴ1 であり; 
Ｔ1 がＣ12〜Ｃ18−アルキルであり；
Ｒ3 がメチルである
ものである。
【００１４】
本発明の柔軟剤組成物は、
ｂ）１種類以上の有機系固体物質および少なくとも１種類の無機系固体よりなる担体系；ｃ）１種類以上の溶剤および少なくとも１種類の非イオン性界面活性剤よりなる可溶化剤    系；
ｄ）場合によっては、脂肪アルコール、脂肪酸、脂肪エステルまたはそれらの混合物より  なる脂肪系
も含有している。
【００１５】
カチオン性化合物ａ）としては、以下の第四アンモニウムを使用することができる：ジアルキル−ジメチル−アンモニウム、ジアルキル−メチル−ヒドロキシアルキル−アンモニウム、ジアルキル−ジヒドロキシアルキル−アンモニウム、ジアルキルアミドプロピル−ジメチル−アンモニウム、ジアルキルアミドプロピル−メチル−ヒドロキシアルキル−アンモニウム、ジアルキルアミドプロピル−ジヒドロキシアルキル−アンモニウム、ジアルコキシアルキル−ジメチル−アンモニウム、ジアルコキシアルキル−メチル−ヒドロキシアルキル−アンモニウム、ジアルコキシアルキル−ジヒドロキシアルキル−アンモニウム、ジアルカノイルエチル−ジメチル−アンモニウム、ジアルカノイルエチル−メチル−ヒドロキシアルキル−アンモニウム、ジアルカノイルエチル−ジヒドロキシアルキル−アンモニウム、ジアルカノイルプロピル−ジメチル−アンモニウム、モノアルカノイルエチル−メチル−ジヒドロキシアルキル−アンモニウム、モノアルカノイルエチル−トリヒドロキシアルキル−アンモニウム、トリアルカノイルエチル−ヒドロキシアルキル−アンモニウム、トリアルカノイルエチル−メチル−アンモニウム、ジアルカノイルプロピル−メチル−ヒドロキシアルキル−アンモニウム、ジアルカノイルプロピル−ジヒドロキシアルキル−アンモニウム。アルキルの代わりにこれらのアンモニウム化合物はアルケニル基またはそれらの混合物を有していてもよい。アルキル並びにアルケニル基は８〜２２個の炭素原子を有していてもよい。これらは直鎖状でもまたは分岐していてもよい。最も有利な主要カチオン化合物はトリエタノールアミン−ジエステル−クワットである。上記の全てのアンモニウム化合物はあらゆる種類のアニオンを含有していてもよく、その有利なものには塩化物、臭化物、酢酸塩、乳酸塩、硫酸塩、硫酸水素塩またはメト硫酸塩がある。
【００１６】
本発明の固体柔軟剤はこれらのカチオン性化合物を、組成物全体の１〜４０重量％、好ましくは２〜２０重量％の量で含有していてもよい。
【００１７】
担体系ｂ）は１種類以上の有機系固体物質および少なくとも１種類の無機系固体物質で構成されている。
【００１８】
有機系物質は澱粉、澱粉誘導体、糖類、二糖類、オリゴ糖類、多糖類、尿素、尿素誘導体、セルロースおよびセルロース誘導体から選択することができる。本発明の担体系の一部として使用される有機物質の例にはコーン澱粉、小麦粉、サッカロース、グルコースまたは尿素がある。固体カルボン酸類、例えばクエン酸も担体の有機系部分において使用することができる。
【００１９】
無機部分は二酸化珪素、非晶質シリカ、沈降シリカ、水和化された非晶質合成珪酸カルシウム、疎水化沈降シリカ、シリカゲル、珪酸ナトリウムアルミニウム、クレー、ゼオライト、ベントナイト、層状珪酸塩、カオリン、炭酸ナトリウム、重炭酸ナトリウム、硫酸ナトリウム、トリポリリン酸ナトリウム、塩化ナトリウム、珪酸ナトリウム（水ガラス）、塩化マグネシウム、塩化カルシウム、塩化アンモニウム、硫酸マグネシウム、炭酸カリシウム、酸化カルシウムおよび／または硫酸カルシウムによって構成されていてもよい。      
【００２０】
本発明の固体柔軟剤は担体系内に有機系担体と無機系担体とを９９：１〜２０：８０の重量割合で含有していてもよい。担体系は組成物全体の５０〜９９重量％、好ましくは７０〜９５重量％含まれている。
【００２１】
可溶化剤系ｃ）のためには適する無機溶剤はあらゆる一価または多価アルコールでもよい。炭素原子数１〜４のアルコール、例えばメタノール、エタノール、プロパノール、イソプロパノール、直鎖状のおよび分岐したブタノール、グリセロールおよび上記アルコールの混合物である。他の有利なアルコールには相対分子量２０００以下のポリエチレングリコールがある。特に２００〜６００の相対分子量で４５重量％までの量のポリエチレングリコールおよび４００〜６００の相対分子量で５〜２５重量％の量のポリエチレングリコールを使用するのが有利である。エチレングリコール、プロピレングリコール、ポリエチレングリコールおよびポリプロピレングリコールの低級アルキルエーテルも使用することができる。溶剤の有利な混合物は０．５：１〜１．２：１の比の一価アルコール、例えばエタノールおよびポリエチレングリコールで構成されている。
【００２２】
本発明の固体柔軟剤はこれらの溶剤を組成物全体の１〜１５重量％の量で含有していてもよい。
【００２３】
上記組成物中で使用される非イオン性合成有機界面活性剤は一般に、末端水酸基および親水性エチレンオキシド／ピロピレンオキシド基を有する有機系脂肪族またはアルキル芳香族疎水性化合物（両者とも飽和でも不飽和せもよい）の縮合生成物である。かゝる界面活性剤は疎水性有機化合物とエチレン／プロピレン−オキサイドとのまたはそれのポリ水和化生成物、ポリエチレン／ポリプロピレングリコールとの縮合によって容易に製造される。更にポリエテノキシ／ポリプロペノキシ鎖の鎖長は疎水性および親水性要素との間に所望の釣り合いを達成するために調節することができる。
【００２４】
十分な非イオン性界面活性剤には、約３〜３０モルのエチレンオキサイド／プロピレンオキサイドで縮合した直鎖状のまたは分岐した鎖構造中に約８〜１８個の炭素原子を有する飽和または不飽和の高級アルカノールの縮合生成物が包含される。これらの界面活性剤の例にはドデシル、トリデシル、テトラデシル、ヘキサデシルアルカノールおよびそれらの混合物と３〜１０モルのエチレンオキサイドとの縮合生成物、例えばＣ9 〜Ｃ11−アルカノールと５．７モルのエチレンオキサイドとの縮合生成物、Ｃ8 〜Ｃ10−アルカノールとエチレンオキサイドとの縮合生成物、Ｃ10〜Ｃ14−アルカノールと６モルのエチレンオキサイドとの縮合生成物、Ｃ10〜Ｃ18−アルカノールと７モルのエチレンオキサイドとの縮合生成物およびＣ10〜Ｃ18−アルカノールと８モルのエチレンオキサイドとの縮合生成物がある。
【００２５】
他の十分な非イオン性界面活性剤には、約３〜３０モルのエチレン／プロピレンオキサイドと直鎖状または分岐鎖形状の、約６〜１５個の炭素原子を含む１モルのアルキルフェノールとのポリエチレン／ポリプロピレンオキサイド縮合生成物がある。特別な例は９モルのエチレンオキサイドが縮合したノニルフェノール、１２モルのエチレンオキサイドが縮合したノニルフェノール、１５モルのエチレンオキサイドが縮合したドデシルフェノールおよび１５モルのエチレンオキサイドが縮合したジノニルフェノールがある。他の適する界面活性剤は、エチレンオキサイドとプロピレンオキサイドとが５：１〜１：５の重量比であるエチレンオキサイドおよびプロピレンオキサイドの異種混合物を縮合した、６０〜８５分子重量％の総アルキレンオキサイド含有量のＣ8 〜Ｃ18−アルカノールの水溶性縮合生成物である。かゝる界面活性剤の特別な例は５モルのエチレンオキサイドと４モルのプロピレンオキサイドとの混合物が縮合したＣ9 〜Ｃ11−アルカノール縮合生成物、３モルのエチレンオキサイドと２モルのプロピレンオキサイドとの混合物が縮合したＣ9 〜Ｃ11−アルカノール縮合生成物および４モルのエチレンオキサイドと５モルのプロピレンオキサイドとの混合物が縮合したＣ9 〜Ｃ11−アルカノール縮合生成物である。
【００２６】
他の非イオン性界面活性剤にはアルキルジメチル−アミンオキシド、ジアルキルメチルアミンオキシド、アルキルアミドプロピル−アミンオキシド、脂肪酸−Ｎ−メチルグルカミド、アルキルポリグリコシド、オキシアルキル化脂肪酸、オキシアルキル化脂肪酸エステル、オキシアルキル化アルキルアミン、ソルビトールエステル、オキシアルキル化ソルビトールエステル、ソルビタンエステル類、オキシアルキル化ソルビタンエステルもある。相応する不飽和基に全部または一部交換されていてもよい、これらの化合物のアルキル基および脂肪酸基は８〜２２個の炭素原子を有していてもよくそして直鎖状でもまたは分岐していてもよい。オキシアルキル化は好ましくは１〜２０個の単位のエチレンオキサイドまたはプロピレンオキサイドまたはそれらの混合物を含有する生成物を意味する。
【００２７】
本発明の固体柔軟剤は組成物全体の１〜２０重量％の量でこれらの非イオン性化合物を含有していてもよい。
【００２８】
脂肪系のための有利な成分は脂肪アルコールおよび／または長鎖脂肪酸または長鎖脂肪酸の塩、例えばカチオンとしてナトリウム、カリウム、アルミニウム、マグネシウム、チタン、アンモニウム、トリエタノールアミン、ジエタノールアミンおよび／またはモノエタノールアミンを有するものである。脂肪アルコールはセチルアルコール、ステアリルアルコールまたはそれら両者のあらゆる比の混合物、好ましくは５０：５０、３０：７０または７０：３０の混合物でもよい。脂肪エステル類、例えばセチル−パルミテートおよびステアリル−パルミテートも使用することができる。
【００２９】
脂肪系のための他の適する成分はエリスリトールエステル類、ペンタエリスリトールエステル類、例えばエリスリトールモノエステアラート(estearate) 、エリスリトールジエステアラート、ペンタエリスリトールモノエステアラートおよびペンタエリスリトールジエステアラート；グリセロールエステル類、例えばグリセロールモノエステアラートおよびグリセロールジエステアラートがある。
【００３０】
脂肪系は好ましくは組成物全体の０．５〜８重量％の量で使用するのが有利である。
【００３１】
意図する用途次第で、本発明の組成物は上記の各系の他に、それぞれの場合に慣用される特異の添加物および助剤、例えば酵素、保存剤、香料および洗剤および金属イオン封鎖剤を含む。
【００３２】
適する酵素には、プロテアーゼ類、リパーゼ類、セルラーゼ類およびそれらの混合物の群から選ばれたものがある。酵素は担体物質に吸着されていてもおよび／または被覆物質によって保護されていてもよい。
【００３３】
適する保存剤は例えばフェノキシエタノール、ホルムアルデヒド溶液、ペンタンジオール、イソチアゾリノン類、ベンゾイソチアゾリン類またはソルビン酸がある。
【００３４】
本発明の生成物は天然の、合成のおよび／または長期付帯性の香りを有していてもよい。
【００３５】
他の添加物の代表的な個々の例には硼酸ナトリウム、ＲＡＥＤ、スチルベン化合物、トルエンスルホナート、クメンスルホナート、キシレンスルホナート、セッケンおよびシリコーン類がある。
【００３６】
本発明の生成物は非常に良好な貯蔵安定性および柔軟化性能に優れている。
【００３７】
本発明の固体柔軟剤組成物は粉末として得られる。これらは以下の通りに製造するのが有利である：
(1) 加熱および攪拌下に機械的混合機においてカチオン性化合物、可溶性系および脂肪系 (存在する場合) を混合する; 
(2) 段階(1) で得られた混合物を、その混合物と同じ温度の近くに加熱された担体系に添加する; 
(3) 粉末になるまで攪拌する; 
(4) 場合によっては乾燥しそして室温に冷却する。
【００３８】
段階(1) の混合物は一般に、完全に流動性液体とするために、かゝる温度に加熱される。
【００３９】
本発明の固体柔軟剤組成物は顆粒またはタブレットの状態で製造することもできる。これら両者を製造する一つの変法は、上記の一般的な方法で製造された粉末を後続の顆粒化または押出成形法に付すものである。
【００４０】
本発明を実施例によって更に詳細に説明するが、本発明はこれらに制限されない。全ての量は組成物全体の重量％で示す。
【００４１】
実施例：
Ｉ）固体の柔軟剤組成物（重量％）：
Ａ）６．５のジアルカノイルエチル−ヒドロキシエチル−メチル−アンモニウム−メト            スルファート（８５％エタノール溶液）(Paepagen (R) TQL-E) ;
Ｂ）７．５のプロピレングリコール；
Ｃ）４．３の、８モルのＥＯでエトキシル化したＣ12〜Ｃ14−ラウリルアルコール              （Genapol (R) C080) 
Ｄ）５６．１のサッカロース；
Ｅ）２４．０のコーン澱粉；
Ｆ）１．０の二酸化珪素；
Ｇ）適量の染料；
Ｈ）適量の香料。
【００４２】
操作：
Ｉ．溶融した材料（約６０℃）を得るために攪拌下にＡを加熱する。
II．ＢおよびＣを攪拌および加熱下にＡと混合する。約５０℃まで加熱する。
III.混合物を室温に冷却しそしてＧを攪拌下に添加する（混合物１）。
IV. 混合物１を約５０℃まで加熱する。
Ｖ．Ｄ、ＥおよびＦを６０℃まで加熱しそして混合物１をこれに添加する。
VI. 粉末状態に達するまで攪拌する。
VII.室温に冷却しそしてＨを添加する。
【００４３】
II) 固体の柔軟剤組成物（重量％）：
Ａ）６．１のジアルカノイルエチル−ヒドロキシエチル−メチル−アンモニウム−メト            スルファート（９０％イソプロパノール溶液）(Paepagen (R) TQ) ; 
Ｂ）６．７のプロピレングリコール；
Ｃ）４．３の、８モルのＥＯでエトキシル化したＣ12〜Ｃ14−ラウリルアルコール              （Genapol (R) C080) 
Ｄ）０．８のセト−ステアリル−アルコール（５０：５０）
Ｅ）５６．１のサッカロース；
Ｆ）２４．０のコーン澱粉；
Ｇ）１．０の二酸化珪素；
Ｈ）適量の染料；
Ｉ）適量の香料。
【００４４】
操作：
Ｉ．溶融した材料（約６０℃）を得るために攪拌下にＡを加熱する。
II．Ｂ、ＣおよＤを攪拌および加熱下にＡと混合する。約５０℃まで加熱する。
III.混合物を室温に冷却しそしてＨを攪拌下に添加する（混合物１）。
IV. 混合物１を約５０℃まで加熱する。
Ｖ．Ｅ、ＦおよびＧを６０℃まで加熱しそして混合物１をこれに添加する。
VI. 粉末状態に達するまで攪拌する。
VII.室温に冷却しそしてＩを添加する。
【００４５】
III ）固体の柔軟剤組成物（重量％）：
Ａ）８．２のジアルカノイルエチル−ヒドロキシエチル−メチル−アンモニウム−メト            スルファート（８５％イソプロパノール溶液）(Paepagen (R) TQL) ;
Ｂ）９．５のプロピレングリコール；
Ｃ）５．４の、７モルのＥＯでエトキシル化したＣ12〜Ｃ14−ラウリルアルコール              （Genapol (R) C070) 
Ｄ）３８．１のサッカロース；
Ｅ）３８．１の炭酸ナトリウム；
Ｆ）適量の染料；
Ｇ）適量の香料。
【００４６】
操作：
Ｉ．溶融した材料（約６０℃）を得るために攪拌下にＡを加熱する。
II．ＢおよびＣを攪拌および加熱下にＡと混合する。約５０℃まで加熱する。
III.混合物を室温に冷却しそしてＦを攪拌下に添加する（混合物１）。
IV. 混合物１を約５０℃まで加熱する。
Ｖ．ＤおよびＥを６０℃まで加熱しそして混合物１をこれに添加する。
VI. 粉末状態に達するまで攪拌する。
VII.室温に冷却しそしてＧを添加する。
【００４７】
IV）固体の柔軟剤組成物（重量％）：
Ａ）９．３のジアルキル−ジメチル−アンモニウム−クロライド（エタノール中７５％            濃度）(Paepagen (R) WB) ; 
Ｂ）８．４のプロピレングリコール；
Ｃ）５．４の、８モルのＥＯでエトキシル化したＣ12〜Ｃ14−ラウリル−アルコール            （Genapol (R) C080) 
Ｄ）３７．６のサッカロース；
Ｅ）３７．６のコーン澱粉；
Ｆ）１．０の二酸化珪素；
Ｇ）適量の染料；
Ｈ）適量の香料。
【００４８】
操作：
Ｉ．溶融した材料（約６０℃）を得るために攪拌下にＡを加熱する。
II．ＢおよびＣを攪拌および加熱下にＡと混合する。約５０℃まで加熱する。
III.混合物を室温に冷却しそしてＧを攪拌下に添加する（混合物１）。
IV. 混合物１を約５０℃まで加熱する。
Ｖ．Ｄ、ＥおよびＦを６０℃まで加熱しそして混合物１をこれに添加する。
VI. 粉末状態に達するまで攪拌する。
VII.室温に冷却しそしてＨを添加する。